(57)【要約】【課題】本発明の課題は、オフセット輪転印刷機におけるブランケット洗浄装置であり、ブランケット胴に残留するインキ、及び紙粉等の不要物を除去できる装置を提供する。【解決手段】オフセット輪転印刷機におけるブランケット胴表面に残留する、インキの拭き残しや紙粉を除去する洗浄機構において、オフセット輪転印刷機のブランケットを洗浄する際に、ブランケット胴と同時に回転し、洗浄布とプレッシャーパッドの接触位置により摺接させたあと、巻き取りロールにてインキの拭き残しや紙粉を除去し、洗浄布の張力的役割もする位置に存する回転自在ロールと、溶剤と水との混合水でインキを拭き取り、紙粉等の異物を水で除去することができるよう、切り替え可能な洗浄工程の洗浄パイプとを有することを特徴とするオフセット輪転機におけるブランケット洗浄装置。【選択図】  なし【特許請求の範囲】
【請求項１】
オフセット輪転印刷機におけるブランケット胴表面に残留する、インキの拭き残しや紙粉を除去する洗浄機構において、オフセット輪転印刷機のブランケットを洗浄する際に、ブランケット胴と同時に回転し、洗浄布とプレッシャーパッドの接触位置により摺接させたあと、巻き取りロールにてインキの拭き残しや紙粉を除去し、洗浄布の張力的役割もする位置に存する回転自在ロールと、溶剤と水との混合水でインキを拭き取り、紙粉等の異物を水で除去することができるよう、切り替え可能な洗浄工程の洗浄パイプとを有することを特徴とするオフセット輪転機におけるブランケット洗浄装置。
【発明の詳細な説明】
【技術分野】
【０００１】
本発明は、オフセット輪転印刷機におけるブランケット洗浄装置に関するものであり、さらに詳しくは、ブランケットに残留するインキ、堆積インキ、紙粉等の不要物を除去するためのブランケット洗浄装置に関する。
【背景技術】
【０００２】
オフセット輪転印刷機のブランケット洗浄装置における清浄化手段としては、大きく分けてブラシによるタイプと布帛によるタイプがある。前者は、その殆どが円筒状のブラシを回転させてブランケットに摺接させ、更にそのブラシに付着した除去物を別のブラシまたはブレードやスクレーパ等で掻き落とし、系外に排出するものである（例えば、特許文献１〜３参照）。また、後者は、供給ローラに巻き廻された帯状の洗浄布をブランケットに摺接させていた（例えば、特許文献４〜９参照）。これらの清浄化手段と共に、ブランケットに直接または清浄化手段を介して洗浄ノズルから洗浄液を供給してブランケットを洗浄していた。
【０００３】
清浄化手段の均質摺接性及び洗浄液保持性等の洗浄効率から、後者のタイプまたは後者に前者を組合せたタイプが一般に利用されている。適宜洗浄液を洗浄布に供給しながらブランケットを清浄化させた後、巻き取りローラに巻き取るように構成されている。
【０００４】
さらに詳しくは、洗浄布は、ブランケット胴の軸線と略平行でかつブランケット胴の外周面の軸方向の長さと略同長のプレッシャーパッド（弾性部材からなる）に付勢されて、ブランケット表面に摺接させるようになっている。
【０００５】
間欠的にプレッシャーパッドを押しつけ、ブランケット胴が回転することで、ブランケットに付着している不要物が洗浄布に転写され、ブランケット上の不要物は除去される。供給ローラと、巻き取りローラは間欠的に運転され、洗浄布は随時供給されるようになっている。
【０００６】
しかしながら、この従来の洗浄装置では、ブランケット洗浄装置による洗浄を行ってもブランケット胴表面にインキの拭き残しや、インキの堆積によるブランケットの損傷、紙粉等の不要物が残る場合がある。このような場合、手作業で不要物を除去する必要があるばかりか、ブランケット洗浄装置自体を印刷機より取り外し、作業スペースを確保しなければならず、非常に作業効率が悪かった。
【特許文献１】実開平８−１７４号公報
【特許文献２】特開２００１−３１５３１３号公報
【特許文献３】特開２００２−１６６５２９号公報
【特許文献４】特開平９−３１４８１５号公報
【特許文献５】実開平５−１６３１１号公報
【特許文献６】特開平５−２１２８５６号公報
【特許文献７】特開平５−３４５４０９号公報
【特許文献８】特開平７−４７６６４号公報
【特許文献９】特開平９−３１４８１５号公報
【発明の開示】
【発明が解決しようとする課題】
【０００７】
本発明の課題は、ブランケット洗浄後に、インキの拭き残しや、インキの堆積、不要物の残留をなくすブランケット洗浄装置を提供することである。
【課題を解決するための手段】
【０００８】
上述した問題点を解決するために鋭意検討した結果、オフセット輪転印刷機におけるブランケット洗浄後の、インキの拭き残しや不要物を除去するブランケット洗浄装置を発明するに至った。
【０００９】
すなわち、本発明のオフセット輪転印刷機におけるブランケット洗浄装置は、ブランケット胴表面にインキの拭き残しや、インキの堆積、紙粉を除去する装置において、オフセット輪転印刷機のブランケットを洗浄する際に、ブランケット胴と同時に回転し、洗浄布とブランケットとの間に接触重力をもたせ、摺接させたあと、巻き取りロールにてインキの拭き残しや、堆積インキ、紙粉等を除去する張力的役割もする回転自在ロール部手段と、
【００１０】
溶剤と水との混合水（以下洗浄液）でインキを拭き取り、紙粉等の異物を水（以下洗浄水）で除去できることができるよう切り替え可能な洗浄工程の洗浄パイプとを有することを特徴とするものである。
【００１１】
そして、ブランケットの軸線と略平行に、少なくともブランケット胴の外周面の軸方向の長さと同じ長さの、弾性部材からなるプレッシャーパッドが、ブランケット表面に押しつけることが出来る位置に設置されており、アップ・ローユニットにより、間欠的に運転が出来、引っ込めたり、押しつけることで供給ローラに巻き廻された帯状の洗浄布を巻き取ることにより、新しい洗浄布がブランケット表面に供給される。ブランケット洗浄が終了すると、回転ロール及びプレッシャーパッドの押しつけが解除されブランケット表面から離隔される機構を備えるものである。
【発明の効果】
【００１２】
本発明によれば、印刷後のブランケット洗浄工程時の、インキの拭き残しや、堆積インキ、紙粉等の異物残留によるブランケット洗浄装置を取り外しての掃除などによる停機ロスをなくすことができることから、作業能率アップおよび生産効率にも大きく貢献できる秀逸な効果を有する。
【発明を実施するための最良の形態】
【００１３】
以下、図面を参照して本発明の一実施形態によるオフセット輪転印刷機におけるブランケット洗浄装置について、詳細に説明する。
【００１４】
図１は、本発明の一実施形態によるオフセット輪転印刷機の全体構成を示す図である。
【００１５】
図１において、本発明に係るオフセット輪転印刷機を簡略に説明すれば、巻き取り原反２１から給紙部２２を通り、印刷ユニット部２３、そして乾燥部２４を通過して、図示されていない冷却部、および折機部とから構成されている。
【００１６】
さらに、本発明のブランケット洗浄装置１は、図示の通り、ブランケット１６、ブランケット胴１７、上下４胴に装備されている。
【００１７】
図２は本発明の一実施形態によるオフセット輪転印刷機のブランケット洗浄装置１の正面を示す図であり、ブランケット胴に装着される前記ブランケッット洗浄装置１の正面図である。
【００１８】
前記ブランケット洗浄装置１は、ブランケット洗浄装置上部支柱８と、ブランケット胴の軸線方向に延びるように前記支柱８に支持されたブランケット洗浄布供給ロール４と、前記供給ロール４と略平行に支柱８に支持されたブランケット洗浄布巻き取りロール３を回転させる駆動源（図示せず）と、前記供給ロール４に巻廻された不織布などからなる帯状の洗浄布１８と、供給・巻き取りテーパーローラベアリング６、７の駆動回転によって前記供給ロール４から繰り出された洗浄布１８をブランケット胴表面に摺接させて、前記巻き取りロール３に導入される。
【００１９】
さらに、洗浄パイプ１３には、洗浄水を導き入れる洗浄水導入口９と、洗浄液を導き入れる洗浄液導入口１０とが接続されており、ここに図示されていない切り替えコックにより洗浄水や洗浄液が洗浄水、液噴射孔１２より噴射され、残留インキ拭き取り及び紙粉の除去をする機構が設けられている。
【００２０】
図３は、本発明である装置を、実際に装着させた斜視図である。
【００２１】
図３において、（上胴部）具体的に本発明のブランケット洗浄装置１がブランケット胴１７に装着させた状態を参照しながら詳細に述べる。
【００２２】
本発明の洗浄装置１は、ブランケット洗浄装置上部支柱８とブランケット洗浄装置下部支柱５及び、ここに図示されていないその他の補助機構により形成されている。
【００２３】
ブランケット洗浄は間欠運転し、アップ・ローユニット１５により、本発明の洗浄装置１はブランケット１６に装着・離隔される。
【００２４】
さらに、本発明の洗浄装置１の動きを詳細に説明する。
【００２５】
ブランケット１６に装着された本発明の洗浄装置１は、洗浄布張力バー及び回転自在ロール１１とプレッシャーパッド１４がブランケット１６に組み込まれ、同時に、前記供給ロール４と前記巻き取りロール３が回転し、洗浄布１８がブランケット１６と摺接され、洗浄パイプ１３によって、第一洗浄の洗浄液が洗浄液、水噴射孔より噴射され、切り替えコックにより、第二洗浄の洗浄水が洗浄液、水噴射孔より噴射される。
【００２６】
さらには、ブランケット胴表面に残留する、インキの拭き残しや紙粉を除去する洗浄機構において、オフセット輪転印刷機のブランケットを洗浄する際に、ブランケット胴１７の軸線と平行な洗浄部が洗浄布を変位させ得るように設けられ、ブランケット胴１７と同時に回転し、洗浄布とプレッシャーパッド１４の接触位置により摺接させたあと、前記巻き取りロール３にてインキの拭き残しや紙粉を除去し、洗浄布の張力的役割もする位置に回転自在ロール１１と、洗浄液でインキを拭き取り、紙粉等の異物を洗浄水で除去することができるよう、切り替え可能な洗浄工程の洗浄パイプ１３を有する。
【００２７】
図４については、（下胴部）図３の補助説明として付記し、ブランケット洗浄装置１の装着状態でのブランケット洗浄装置１における前記供給ロール４と前記巻き取りロール３の連結での動きを示した図であり、詳細の説明は省く。
【実施例】
【００２８】
本発明の課題である、ブランケット洗浄時のインキ及び異物除去について、本発明の洗浄装置を仮設置し、実施した結果、最大の目的である趣旨に充分に答えられる結果となり、本装置の設置後は、良質な印刷結果と停機によるロスタイム・手作業がなくなった。
【産業上の利用可能性】
【００２９】
以上説明したように、本発明のオフセット輪転印刷機におけるブランケット洗浄装置によれば、ブランケット胴に残留しているインキの拭き残し・紙粉等の不要物を除去し、良好な印刷品質を可能にする効果がある。
【図面の簡単な説明】
【００３０】
【図１】本発明におけるオフセット輪転印刷機のブランケット洗浄装置の全体構成図である。
【図２】本発明におけるオフセット輪転印刷機のブランケット洗浄装置の斜視図である。
【図３】本発明におけるオフセット輪転印刷機のブランケット洗浄装置の一実施態様を示す概略構成図である。
【図４】本発明におけるオフセット輪転印刷機のブランケット洗浄装置の一実施態様を示す概略構成図である。
【符号の説明】
【００３１】
１  ブランケット洗浄装置
２  ブランケット洗浄装置補材
３  ブランケット洗浄布巻き取りロール
４  ブランケット洗浄布供給ロール
５  ブランケット洗浄装置下部支柱
６  巻取テーパーローラベアリング
７  供給テーパーローラベアリング
８  ブランケット洗浄装置上部支柱
９  洗浄水導入口
１０  洗浄液導入口
１１  回転自在ロ−ル
１２  洗浄液、水噴射孔
１３  洗浄パイプ
１４  プレッシャーパッド
１５  アップ・ローユニット
１６  ブランケット
１７  ブランケット胴
１８  洗浄布
１９  ブランケット洗浄装置駆動電源
２０  ウエブ
２１  巻き取り原反
２２  給紙部
２３  印刷ユニット部
２４  乾燥部
【図１】
2006035653.tif 000002
【図２】
2006035653.tif 000003
【図３】
2006035653.tif 000004
【図４】
2006035653.tif 000005